(57)【要約】      （修正有）【課題】配布される印刷情報を有効に利用しやすくするために、その情報媒体に有効な形状と非接触式のスキミング防止の付加機能を与ることにより、印刷情報の入った印刷物を携帯しやすくするとともに、非接触式ＩＣカードのＩＤ情報を非接触式スキミングから守る。【解決手段】印刷情報が施される紙あるいは樹脂などのシート材の大きさを非接触式ＩＣカードあるいは非接触式パスポートの大きさに合わせることにより、日常携帯する財布又はカードケースあるいはパスポートケースに入れることができる。また、そのシート材の一部にアルミ蒸着層あるいはアルミ箔層を設けることにより、電磁波（電波）シールド特性をもたせることができる。これにより、非接触式ＩＣガードと合わせることで非接触式スキミングの防止機能を付加価値として提供できる。【選択図】図１
0003135292.tif 000002
【実用新案登録請求の範囲】
【請求項１】
紙シート材あるいは例えばＰＰ（ポリプロピレン）等の樹脂シート材をベースとして、それらにアルミ蒸着あるいはアルミ箔を張り合わせた両面印刷可能な複合シート材を非接触式のＩＣカードと略同形に成形したことを特徴とするスキミング防止機能付き情報カーード。
【請求項２】
上記複合シート材を非接触式ＩＣカードの約２倍の大きさと略同形に成形したことを特徴とするスキミング防止機能付き情報カード。
【請求項３】
上記複合シート材を非接触式ＩＣパスポートと略同形に成形したことを特徴とするスキミング防止機能付き情報カード。
【考案の詳細な説明】
【技術分野】
【０００１】  本考案は、財布の中に携帯するスキミング防止機能付き情報カードに関する。
【背景技術】
【０００２】  近年、我々の身の回りには様々の情報が氾濫している。
パソコン、携帯電話などのＩＴ情報、磁気カードの磁気情報、ＩＣチップを埋込んだＩＣカードの電磁波情報、印刷物の印刷情報等多岐にわたるが、それらの情報をいかに効率良く受け入れてもらうかが重要である。【０００３】  特に印刷物による印刷情報は身近に溢れており、そのほとんどが有効に使用されず無駄になっていることが実情である。例えば金融機関等に置かれているパンフレット、各種チケット、チラシなど使用後は棄てられるだけである。【０００４】  また、電磁波情報として我々は財布の中に、非接触式のＩＣカード例えば、現金決済系のＩＣカード、またパスポート、免許証などの個人認証系のＩＣカードを持ち歩く時代となった。これらは個人情報としてセキュリティが重要となっている。特に通称スキミングと呼ばれるデータの違法取得の犯罪に対して自己責任によるセキュリティが重要である。
【考案の開示】
【考案が解決しようとする課題】
【０００５】  以上に述べたように印刷物による情報は無駄が多く、また非接触式のＩＣカードにはセキュリティが重要になっている。【０００６】  本考案は、配布される印刷情報を有効に利用しやすくするために、その情報媒体に有効な形状と非接触式のスキミング防止の付加機能を与ることにより、印刷情報の入った印刷物を携帯しやすくするとともに、非接触式ＩＣカードのＩＤ情報を非接触式スキミングから守ることを目的とするものである。
【課題を解決するための手段】
【０００７】  そこで、本考案は上記目的を達成するために、紙シート材あるいは例えばＰＰ（ポリプロピレン）等の樹脂シート材をベースとして、それらにアルミ蒸着、あるいはアルミ泊を張り合わせた両面印刷可能な複合シート材を、非接触式のＩＣカードと略同形に成形した。【０００８】  また、第２の解決手段は、上記複合シート材を非接触式のＩＣカードの約２倍の大きさに成形した。【０００９】  また、第３の解決手段は、上記複合シート材を非接触式のＩＣパスポートと略同形に成形した。【００１０】  上記第１の課題解決手段による作用は次の通りである。
すなわち、上記複合シート材の両面に情報を印刷することにより配布可能な情報カードとなる。【００１１】  さらに上記複合シート材を、非接触式のＩＣカードと略同形に成形することにより、財布あるいはカード入れの中に、ＩＣカードと重ね合わせて入れることができる。【００１２】  また、上記複合シート材の一部にアルミ蒸着部を設けるか、アルミ箔部を設けることにより電磁波（電波）シールド効果を得ることができる。【００１３】  また、第２の課題解決手段による作用は次の通りである。
すなわち、上記複合シート材の両面に情報を印刷することにより配布可能な情報カードとなる。【００１４】  さらに上記複合シート材を、非接触式のＩＣカードの約２倍の大きさと略同形に成形することにより、財布あるいはカード入れの中に、ＩＣカードを挟み込んで入れることができる。【００１５】  また、上記複合シート材の一部にアルミ蒸着部を設けるか、アルミ箔部を設けることにより電磁波（電波）シールド効果を得ることができる。【００１６】  また、第３の課題解決手段による作用は次の通りである。
すなわち、上記複合シート材の両面に情報を印刷することにより配布可能な情報カードとなる。【００１７】さらに上記複合シート材を、非接触式のＩＣパスポートと略同形にすることにより、パスポートケースの中に、ＩＣパスポートと重ね合わせて入れることができる。【００１８】  また、上記複合シート材の一部にアルミ蒸着部を設けるか、アルミ箔部を設けることにより電磁波（電波）シールド効果を得ることができる。【００１９】  これらの複合シート材を製作するにあたって、特別な素材を開発する必要はなく、市場に流通している複合シート材をそのまま利用すればよい。特に素材の一部にアルミ蒸着部を設けたものあるいはアルミ箔部を設けた複合シート材は種々量販されており、印刷から成形に至る加工ラインは確立されている。【００２０】  また、アルミ素材による電磁波シールド効果については、後述のデータを示すまでもなく、実用域の周波数帯で優秀な電磁波（電波）シールド効果をもつことは周知の通りであり、一般的にあらゆる場面で電磁波シールド材として利用されている。
【考案の効果】
【００２１】  上述したように、本考案のスキミング防止機能付き情報カードは、形状を非接触式ＩＣカードと略同形、また非接触式ＩＣカードの約２倍の大きさと略同形、また非接触式ＩＣパスポートと略同形にすることにより、財布またはカードケースあるいはパスポートケースの中に、非接触式ＩＣカードあるいは非接触式ＩＣパスポートと一緒に常時入れることができる。このことにより発信したい印刷情報を個人に携帯させることができる。【００２２】  また、アルミ素材を一部に使用することにより、電磁波（電波）シールド効果を得ることができ、財布あるいはカードケースの中の非接触式ＩＣカード、又はパスポートケースの中の非接触式パスポートのＩＤ情報を、不正な非接触スキミングの被害から守ることができる。
【考案を実施するための最良の形態】
【００２３】  以下、本考案の実施の形態を図１〜図９に基づいて説明する。【００２４】  まず、第１の実施の形態について説明する。【００２５】  図１において、１はスキミング防止機能付き情報カード（以下情報カードとする）で、その形状は、非接触式ＩＣカード７と略同形に形成されている。またその表面は印刷可能な表側の印刷面３となっており、裏面は印刷可能な裏側の印刷面４となっている。そして上記表側及び裏側の印刷面３、４には、表側の印刷５及び裏側の印刷６が情報として印刷されている。【００２６】  図２ａは、上記情報カード１の図１におけるＡ−Ａ線拡大断面図で、アルミ蒸着層あるいはアルミ箔層２ａと、樹脂シート２ｂを貼り合わせた複合シート材２から構成されている。【００２７】  図２ｂは、上記情報カード１の図１におけるＡ−Ａ線拡大断面図で、アルミ蒸着層あるいはアルミ箔層２ａと、紙シート材２ｃを貼り合わせた複合シート材２から構成されている。【００２８】  図３ａは上記情報カード１の財布８での使用状態を示す斜視図である。情報カード１は非接触式ＩＣカード７と重ね合わせて、財布８のカード収納部８ａの中に収納する。【００２９】  図３ｂは上記情報カード１のカードケース９での使用状態を示す斜視図である。情報カード１は非接触式ＩＣカード７と重ね合わせて、カードケース９の中に収納する。【００３０】  次に、第２の実施の形態について説明する。【００３１】  図４において、１’は情報カードでその形状は非接触式ＩＣカード７の約２倍の大きさと略同形に成形されている。またその構造は上記第１の実施の形態と同様である。【００３２】  図５（ａ）は、上記情報カード１’の財布８での使用状態を示す斜視図である。情報カード１’は２つに折り込み、非接触式ＩＣカード７を挟み込み、その状態で財布８のカード収納部８ａの中に収納する。【００３３】  図５（ｂ）は、上記情報カード１’のカードケース９での使用状態を示す斜視図である。情報カード１’は２つに折り込み、非接触式ＩＣカード７を挟み込み、その状態でカードケース９の中に収納する。【００３４】  次に、第３の実施の形態について説明する。【００３５】  図６において、１”は情報カードでその形状は非接触式ＩＣパスポート１１と略同形に成形されている。またその構造は上記第１の実施の形態と同様である。【００３６】  図７は、上記情報カード１”のパスポートケース１０での使用状態を示す斜視図である。情報カード１”は非接触式ＩＣパスポート１１の片面あるいは両面と重ね合わせて、パスポートケース１０の中に収納する。【００３７】  図８は、上記各実施の形態で共通する電磁波（電波）シールドの作用の説明図である。【００３８】  図８（ａ）は、各情報カード１、１’、１”を非接触式ＩＣカード７（非接触式ＩＣパスポート１１も同様）と重ね合わせた状態での、電磁波（電波）シールドの１つの作用を示す。非接触式ＩＣカードに向けられた不正電磁波（電波）１２は、情報カード１、１’、１”でその電界成分がシールドされ、電磁波（電波）シールドされる。この場合非接触式ＩＣカード７に対して情報カード１、１’、１”を不正電磁波（電波）側に配置する。【００３９】  図８（ｂ）は、各情報カード１、１’��１”を非接触式ＩＣカード７と重ね合わせた状態での、電磁波（電波）シールドの他の作用を示す。非接触式ＩＣカード７に向けられた不正電磁波（電波）１２の磁界成分が情報カード１、１’、１”のアルミ箔部分を通過するとレンツの法則により逆向きの磁界が発生し磁界が相殺され、電磁波（電波）シールドされる。この場合非接触式ＩＣカード７と情報カード１、１’、１”との不正電磁波１２に対する位置関係はどちらでもよい。これらの作用は、第２の実施形態及び第３の実施形態においても同様である。【００４０】  ここで、中周波の電磁波（電波）の場合、アルミ等の一般的に知られている金属材料が、電磁波（電波）シールド材として非常に有効であることは周知されている。そして流通しているほとんどの非接触式ＩＣカードが、ＭＨｚ帯で運用されているので、上記情報カードによる不正電磁波（電波）に対するシールド効果は大きい。【００４１】  図９はスキミング防止機能付き情報カードに使用される複合シートの、電界シールド特性及び磁界シールド特性をＫＥＣ法で測定したデータである。【００４２】  図６のとおり、量販されている複数の複合シート材について電磁波（電波）シールド性能の測定を行ったが、上記ＭＨｚ帯で平均９９．９％以上の電界減衰率を得た。技術的周知として、９０％以上の電界減衰率があれば電磁波（電波）シールド材として非常に有効である。【００４３】  しかし、静磁界に対するシールド効果はほとんど無く、いわゆる磁気カードについては静磁界のシールド効果は期待できない。
【産業上の利用可能性】
【００４４】  上述したように、本校案のスキミング防止機能付き情報カードは、提供したい印刷情報を、受け入れ側に携帯しやすくさせるような形状になっているため無駄に棄てられることを減らすことができる。【００４５】  さらに、このスキミング防止機能付き情報カードにスキミング防止機能という付加価値を付けることにより、より受け入れやすくさせることができる。【００４６】  しかも、このスキミング防止機能付き情報カードを製作するにあたっては特別な材料、工程など必要無く、市場に流通している量販品を使用できるとともに、その生産加工ラインで安価に製作できる。したがって、企業などが自己ＰＲのために無償で情報を配布する場合などに最適である。
【図面の簡単な説明】
【００４７】
【図１】本考案の第１の実施形態を示すスキミング防止機能付き情報カード
【図２】（ａ）同スキミング防止機能付き情報カードの図１におけるＡ−Ａ線拡大断面図（ｂ）同スキミング防止機能付き情報カードの図１における他の素材を使用したもののＡ−Ａ線断面図
【図３】（ａ）同スキミング防止機能付き情報カードの財布での使用状態を示した斜視図（ｂ）同スキミング防止機能付き情報カードのカードケースでの使用状態を示した斜視図
【図４】本考案の第２の実施形態を示すスキミング防止機能付き情報カード
【図５】（ａ）同スキミング防止機能付き情報カードの財布での使用状態を示した斜視図（ｂ）同スキミング防止機能付き情報カードのカードケースでの使用状態を示した斜視図
【図６】本考案の第３の実施形態を示すスキミング防止機能付き情報カード
【図７】同スキミング防止機能付き情報カードのパスポートケースでの使用状態を示した斜視図
【図８】（ａ）各実施形態のスキミング防止機能付き情報カードの１つの作用を示す説明図（ｂ）各実施形態のスキミング防止機能付き情報カードの他の作用を示す説明図
【図９】各実施形態のスキミング防止機能付き情報カードに使用される複合シートの、電界シールド特性及び磁界シールド特性
【符号の説明】
【００４８】１，１’，１”…スキミング防止機能付き情報カード
２…複合シート材
２ａ…アルミ蒸着層あるいはアルミ箔層
２ｂ…樹脂シート
２ｃ…紙シート
３…表側の印刷面
４…表側の印刷面
５…表側の印刷
６…裏側の印刷
７…非接触式ＩＣカード
８…財布
８ａ…カード収納部
９…カードケース
１０…パスポートケース
１１…非接触式ＩＣパスポート
１２…不正電磁波（電波）
【図１】
0003135292.tif 000003
【図２】
0003135292.tif 000004
【図３】
0003135292.tif 000005
【図４】
0003135292.tif 000006
【図５】
0003135292.tif 000007
【図６】
0003135292.tif 000008
【図７】
0003135292.tif 000009
【図８】
0003135292.tif 000010
【図９】
0003135292.tif 000011
【手続補正書】
【提出日】平成19年6月6日(2007.6.6)
【手続補正１】
【補正対象書類名】実用新案登録請求の範囲
【補正対象項目名】請求項２
【補正方法】変更
【補正の内容】
【請求項２】
複合シート材を非接触式ＩＣカードの約２倍の大きさと略同形に成形したことを特徴とする請求項１に記載のスキミング防止機能付き情報カード。
【手続補正２】
【補正対象書類名】実用新案登録請求の範囲
【補正対象項目名】請求項３
【補正方法】変更
【補正の内容】
【請求項３】
複合シート材を非接触式ＩＣパスポートと略同形に成形したことを特徴とする請求項１に記載のスキミング防止機能付き情報カード。